(57)【要約】【課題】目視状態では偽造防止手段の存在が判別しにくく、偽造の場合はその場で判定することが可能な印刷物及びその製造方法を提供することを目的とする。【解決手段】本体シートと切離し片がミシン目状の切込みによって連接されたシート状印刷物であって、前記シート状印刷物の前記切込み形成部には、応力発光材料を含む印刷インキによる真贋検証領域が切込みを内包する状態で形成されたシート状印刷物及びその製造方法を提供する。【選択図】  図１
2010188670.tif 000002
【特許請求の範囲】
【請求項１】
本体シートと切り離し片がミシン目状の切込みによって連接されたシート状印刷物であって、
前記シート状印刷物の前記切込み形成部には、応力発光材料を含む印刷インキによる真贋検証領域が切込みを内包する状態で形成されたことを特徴とするシート状印刷物。
【請求項２】
請求項１記載のシート状印刷物において、
真贋検証領域は、シート状印刷物の表面に形成されたことを特徴とするシート状印刷物。
【請求項３】
請求項１記載のシート状印刷物において、
真贋検証領域は、シート状印刷物の表裏面に切込みを挟む状態で形成されたことを特徴とするシート状印刷物。
【請求項４】
請求項１〜３何れかに記載のシート状印刷物の製造方法であって、
真贋検証領域は、切込みが形成された後に形成されることを特徴とするシート状印刷物の製造方法。
【発明の詳細な説明】
【技術分野】
【０００１】
本発明は本体シートと切離し片がミシン目状の切込みによって連接されたシート状印刷物、および、シート状印刷物の製造方法に関する。
【背景技術】
【０００２】
近年、紙幣、身分証明書、チケット、通行券等の偽造による被害が社会問題化しており、偽造技術は巧妙を極める一方であることから、偽造防止を簡易かつ有効に行える技術が待望されている。
従来から、種々の偽造防止又は牽制技術が提案されている。
そのなかで、例えば、パール印刷，ホログラム，透かしなどの技術は、材料入手の難しさや製造技術の難しさを伴い、目視でその存在が確認可能で、真偽の判別がし易いために、長年有価証券類の偽造防止技術として採用されてきた。
また、通常の目視状態では判別できないが、装置を使用することによってその存在を確認することができる真偽判別技術として、ブラックライトを使用する蛍光インキによる隠し印刷などが実用されている（例えば、特許文献１〜３参照）。
一方、通常の目視状態で偽造防止技術の存在が判別できない技術の場合、特殊な装置などを用いたり、大掛かりな装置によって真偽を判別する方法があるが、特殊な装置を配備しなければならずコストがかかるという問題と、真贋鑑定に時間がかかりその場で鑑定できないという問題がある。
【先行技術文献】
【特許文献】
【０００３】
【特許文献１】特開平９−１７５０６７号公報
【特許文献２】特開２０００−２０３１８２号公報
【特許文献３】特開２００１−１８５１５号広報
【発明の概要】
【発明が解決しようとする課題】
【０００４】
前述のように、偽造防止技術としては特別な真贋鑑定装置を使用したり、真贋鑑定のために多くの時間や労力を必要としない技術が求められる。
チケットなどの場合、係員は客が持参する入場券の切離し券を受け付けて、切離し部分で“もぎり”、半券を客に返すのが精一杯で、使用されたチケットが本物であるか、偽造券であるかの判別をすることは実質的に困難な状況にある。
本発明は上記の問題に鑑みてなされたものであり、その目的は目視状態では偽造防止手段の存在が判別しにくく、偽造の場合はその場で判定することが可能な印刷物及びその製造方法を提供することを目的とするものである。
【課題を解決するための手段】
【０００５】
前記課題の目的を達成するために本発明のシート状印刷物の第一の態様は、本体シートと切離し片がミシン目状の切込みによって連接されたシート状印刷物であって、前記シート状印刷物の前記切込み形成部には、応力発光材料を含む印刷インキによる真贋検証領域が切込みを内包する状態で形成されたことを特徴とするものである。
【０００６】
また、第二の態様は、第一の態様において、真贋検証領域は、シート状印刷物の表面に形成されたことを特徴とするものである。
【０００７】
また、第三の態様は、第一の態様において、真贋検証領域は、シート状印刷物の表裏面に切込みを挟む状態で形成されたことを特徴とするものである。
【０００８】
また、第四の態様は、第一〜第三何れかの態様のシート状印刷物の製造方法であって、  
真贋検証領域は、切込みが形成された後に形成されることを特徴とするものである。
【発明の効果】
【０００９】
１）第一の態様のように、本体シートと切離し片がミシン目状の切込みによって連接されたシート状印刷物であって、前記シート状印刷物の前記切込み形成部には、応力発光材料を含む印刷インキによる真贋検証領域が切込みを内包する状態で形成されたことによって、（印刷物を）利用する側の者に対しては印刷物に偽造防止技術が施されていることが判りにくいために偽造防止効果が大で、一方で運用する側の者に対しては、印刷物を処理する際に瞬時に真贋判定を行うことができるという特徴がある。しかも、装置を使用することなく印刷物の真贋判定を行うことができる。
２）また、第二の態様のように、第一の態様において、真贋検証領域は、シート状印刷物の表（おもて）面に形成されたことによって、通常おもて面を上に提示されることから、発光現象を捉えやすい。
３）また、第三の態様のように、第一の態様において、真贋検証領域は、シート状印刷物の表裏面に切込みを挟む状態で形成されたことによって、発光強度を高めることができる。
４）また、第四の態様のように、第一〜第三何れかの態様のシート状印刷物の製造方法であって、真贋検証領域は切込みが形成された後に形成されることによって、切込みの内側にまで応力発光材料を含む印刷インキがいきわたり真贋検証時に発光強度を高めることができる。
【図面の簡単な説明】
【００１０】
【図１】本実の施形態のシート状印刷物について説明するための、シート状印刷物の表（おもて）面平面図である。
【図２】図１のＡ−Ａ線断面図である。
【図３】本実施の形態のシート状印刷物の真贋検証の一例について説明するための図である。
【発明を実施するための形態】
【００１１】
図１，図２を参照して、本実施の形態のシート状印刷物について演奏会の入場券の例で説明する。
図１,２に示すように、本実施形態のシート状印刷物１は、本体シート１１と切離し片１２がミシン目状の切込み１３によって連接されている。
図１に示す例では、シート状印刷物１の切込み１３が形成された周辺には、応力発光材料を含む印刷インキによる真贋検証領域２が切込み１３をその一部に含む状態で形成されている。
図２に示す例では、シート状印刷物１の表（おもて）面に真贋検証領域２が、また、シート状印刷物１の裏面にも真贋検証領域２０が、切込み１３を挟む状態で形成されている。
【００１２】
図１に示すシート状印刷物１（入場券）の本体シート１１のおもて面には「○○交響楽団定期演奏会入場券」などのタイトルを含む図柄印刷１１１が施されている。
本体シート１１のおもて面には、図示しないが、前述のタイトル以外に演奏会の開催日時や、場所，入場料，入場券管理番号，地紋印刷を含むデザインなどが印刷されている。
また、切離し片１２にも、図示しないが、タイトルのほかに、開催日時，場所，入場料，入場券管理番号などの文言印刷１２１が施されている。
図示しないが、シート状印刷物１の裏面にも、入場券の取り扱い事項や、発行者情報などが印刷されている。
【００１３】
本体シート１１と切離し片１２の連接部にはミシン目状の切込み１３が形成されているが、切込み１３が施された部分には応力発光材料を含む印刷インキによる真贋検証領域２が形成されている。本実施の形態では、シート状印刷物１の切込み１３部分のおもて面と裏面に真贋検証領域２，２０が形成されている。
【００１４】
応力発光材料を含む印刷インキは、シート状印刷物の基材の色に合わせて調合され、印刷される。図柄印刷１１１がシート状印刷物全面にわたって行われる場合は、真贋検証領域２は、その存在が目視で判別し難いように、無光沢インキなどによって切込み１３が形成された部分にのみ印刷されるように可能な限り狭い幅で印刷される。印刷は、例えば、スクリーン印刷方式，フレキソ印刷方式，グラビア印刷方式，オフセット印刷方式，凸版印刷方式、いずれの方法でもよい。通常、応力発光材料を含むインキの層が厚いほうが、発光効果が大きくなるため、インキの厚さが比較的自由に行えるスクリーン印刷方式が好ましい。
【００１５】
応力発光材料は、例えば、高度に構造を制御した無機結晶骨格の中に発光中心となる元素を添加した材料であり粉末微粒子の状態で得られる。
無機材料や発光中心の種類を選択することにより、紫外〜可視〜赤外の様々な波長で発光する材料が得られている。
応力発光材料は、与えられたエネルギーによる発光の減衰時間により応力発光蛍光材料と応力発光りん光材料に分けることができる。蛍光発光性を持つ材料として、ＣａＭｇＳｉＯ7：Ｃｅ，ＳｒＮｂ2Ｏ6：Ｅｕなどが挙げられる。
【００１６】
応力発光インキは印刷方式に応じたインキ特性を持つように、また、検知に必要な発光強度が得られるように配合割合が決定される。
基材に形成された応力発光インキ皮膜には、真偽判別の際に加圧，せん断等の応力が加えられるため、乾燥後の応力発光インキ皮膜はこれらの力に十分耐えうる強度を有するものでなければならない。
そのためにインキ中の応力発光材料の配合比は印刷方式により異なるが、１〜６０質量％程度とする。発光強度と経済性の観点から、１０〜４０質量％程度が好ましい（特開２００８−５５６３９号公報参照）。
【００１７】
ここで、シート状印刷物の製造方法について説明する。
図１の入場券サイズの印刷物の場合は、巻き取り紙から縦５面、横２面の１０面付けサイズで図柄や文言を印刷し、切込みを形成、シート状にカットして、管理番号などを印刷する。この場合は、切り込みはロールミシン刃で短辺に平行に施される。
大量に作製される場合は、管理番号も図柄などの印刷と同時に印刷される。
そして、応力発光材料を含む印刷インキで真贋検証領域２をミシン目状切込みの上に印刷する。
また、最初からシート状で印刷される場合は、例えば、縦５面，横２面の１０面付け程度のサイズで図柄や文言を印刷し、管理番号などを印刷した後で置きミシンで切込み１３を形成する。最初からシートで印刷する場合は、切込み１３は、短辺方向，長辺方向、何れの方向に対しても平行に施すことができる。最後に、応力発光材料を含む印刷インキで真贋検証領域２をミシン目状切込みの上に印刷する。
前述のように、真贋検証領域２をスクリーン印刷方式で印刷する場合は、最初からシート状で印刷するほうが都合がよい。
いずれの場合も最終工程で裁断機によって入場券の仕上がりサイズに裁断する。
【００１８】
図３，図２を参照して、本実施形態のシート状印刷物の真贋検証の一例について説明する。
図２は、図１のＡ−Ａ線断面図であるが、ミシン目状切込み１３のカット部分で切断した状態を示している。
ミシン目状切込み１３のアンカット部分及びカット部分の基材の側面には応力発光材料を含む印刷インキが形成されている。
ミシン目状の切込みの前述のカット部分、及び、切込み処理が成されていないアンカット部分の長さの比は自由に設定することができる。
応力発光材料を含む印刷インキによる発光効果は真贋検証領域２，２０のアンカット部のトータルの長さが長いほど、また、インキの厚さが厚いほど発光効果が大きくなる。
ことを考慮に入れてカット／アンカットの比を設定する。
また、使用されるシート状印刷物の基材が紙の場合、紙の目の方向が短辺に平行か、長辺に平行かによってアンカットの長さを設定する。紙の目の方向が短辺に平行の場合は切れ易いためにアンカット部を長めに設定する。
また繊維が長い上質紙やクラフト紙、繊維が短いアート紙，コート紙などの違いによっても発光効果が変わってくるために、基材に合わせてアンカット部の長さを好適な長さに調整しなければならない。
【００１９】
本体シート１１と切離し片１２を左右の手の指で挟んで引き離すと、図３に示すように、切込み１３のアンカットの部分（図示せず）に引き裂き応力が加わり、アンカットの部分に形成された応力発光材料が発光領域２００で発光する。そのことによって入場券の係員はその入場券は本物であることを認識する。
【００２０】
このように、チケットを使用する側の者は、切込み１３が形成されている周辺に真贋検証領域２が形成されていることを全く知る由もなく無意識に使用するが、チケットなどを扱う係員は、切離し片１２を本体シート１１から「もぎる」際に真贋をチェックしていることになる。
【００２１】
図２を参照して、本実施形態のシート状印刷物１に使用される材料の一例について説明する。
シート状印刷物１の基材には上質紙，中質紙，アート紙，コート紙，晒しクラフト紙    その他、プラスチックフィルムを含むシートが選択的に使用される。
また、真贋検証領域２に使用されるインキに混入される応力発光材料としては、例えば、前述の特開２００８−５５６３９号公報他、特開２００６−３１２７１９号公報，特開２００７−５５１４４号公報などに開示されている材料を前述のスクリーン印刷，グラビア印刷，フレキソ印刷，オフセット印刷，凸版印刷用に調合し、印刷インキとして使用する。
また、図柄印刷１１１や、文言印刷用のインキとしては、市販のスクリーン印刷，グラビア印刷，フレキソ印刷，オフセット印刷，凸版印刷用インキを使用する。
また、切込み１３を形成するために使用されるミシン刃は、市販の「ロールカッター」または「置きミシン刃」を使用する。
【産業上の利用可能性】
【００２２】
本発明のシート状印刷物は、ミシン目状の切込み部又は切離し部を有し、偽造されては困る印刷物に利用できる。
【符号の説明】
【００２３】
１      シート状印刷物
２，２０  真贋検証領域
１１    本体シート
１２    切離し片
１３    切込み
１１１  図柄印刷
１２１  文言印刷
２００  発光領域
【図１】
2010188670.tif 000003
【図２】
2010188670.tif 000004
【図３】
2010188670.tif 000005